(57)【要約】【課題】  多数個の発光部からなる平面発光の色相や輝度を容易に合せ込めて、より均一な発光ができると共に省電力化できる平面型の発光装置、表示装置を提供する。【解決手段】  ｎ個×ｍ個（ｎ、ｍは、それぞれ正の整数）のマトリクス状に配列された複数の各ＬＥＤ３ａ、３ｂ、３ｃを設ける。各ＬＥＤ３ａ、３ｂ、３ｃに対し、発光のための電源電流をそれぞれ供給するための電源線ＶＤＤを設ける。各ＬＥＤ３ａ、３ｂ、３ｃへの電源電流の供給をそれぞれ制御するための第一トランジスタ４を設ける。第一トランジスタ４への制御信号を断接により制御するための第二トランジスタ５を設ける。各ＬＥＤ３ａ、３ｂ、３ｃへの電源電流の供給を示す前記制御信号を保持するためのコンデンサー６を設ける。【選択図】  図１
2006301450.tif 000002
【特許請求の範囲】
【請求項１】
マトリクス状に配列された複数の各発光部と、
前記各発光部に対し、発光のための電源電流をそれぞれ供給するための電源線と、
前記各発光部への電源電流の供給をそれぞれ制御するための制御部と、
前記制御部への制御信号を断接により制御するための駆動制御部と、
前記発光部への電源電流の供給を示す前記制御信号を保持するためのホールド部とを有していることを特徴とする発光装置。
【請求項２】
前記制御部は、第一トランジスタであり、前記第一トランジスタの第一制御端子への印加電圧値または印加電流値がしきい値を超えるか否かにより電源電流を断接するものであることを特徴とする請求項１に記載の発光装置。
【請求項３】
上記各発光部の発光を制御するための、複数の各走査線と、複数の各データ線とを互いに交差させてマトリクス状にそれぞれ有し、
前記駆動制御部は、各発光部にそれぞれ設けられた第二トランジスタであり、
前記各走査線は、上記第二トランジスタの第二制御端子にそれぞれ接続され、
前記各データ線は、前記第一トランジスタの第一制御端子への制御信号を供給できるように第二トランジスタに接続されていることを特徴とする請求項２記載の発光装置。
【請求項４】
前記複数の各発光部は、それぞれ、発光ダイオードであることを特徴とする請求項１ないし３の何れか１項に記載の発光装置。
【請求項５】
前記制御部は、前記複数の各発光ダイオードのカソードに対し、直列に、それぞれ接続されていることを特徴とする請求項４記載の発光装置。
【請求項６】
前記ホールド部は、容量素子であることを特徴とする請求項１ないし５の何れか１項に記載の発光装置。
【請求項７】
前記容量素子は、コンデンサーであることを特徴とする請求項６記載の発光装置。
【請求項８】
前記発光部の発光輝度を検出するための光検出部が設けられていることを特徴とする請求項１ないし７の何れか１項に記載の発光装置。
【請求項９】
請求項１ないし８の何れか１項に記載の発光装置を有していることを特徴とする表示装置。
【発明の詳細な説明】
【技術分野】
【０００１】
本発明は、発光ダイオード（以下、ＬＥＤと記す）等の自発光素子を多数備え、これらを容易に均一に発光させることのでき、省電力化できる平面型の発光装置、表示装置に関するものである。
【背景技術】
【０００２】
従来から、ＬＥＤは、電球と比べると、色純度が高く視認性に優れ、着色レンズが不要で西日など太陽光線による擬似点灯が無く、消費電力が三分の一以下と小さく、耐用年数が長くメンテナンスの回数や費用を低減でき、多数のＬＥＤを並べて使用するので全滅灯の恐れを回避できることから、特に野外にて広く、平面型の発光装置や表示装置として使われている（非特許文献１）。
【０００３】
特に、近年、高輝度なＩｎＧａＮ系青色ＬＥＤの開発により、加法混色の原理による白色も効率よく再現できるようになったことから、それぞれ三原色を示すＩｎＧａＮ系の青色および緑色と、ＧａＡｌＡｓ系の赤色との三個の各ＬＥＤを１つのパッケージに封入した３in１チップタイプＬＥＤも開発されている。３in１チップタイプＬＥＤは、３（Ｗ）×３（Ｌ）×１（Ｈ）と小さなものであり、砲弾型ランプと異なりモールドレンズによる光の集光を行っておらず、半値角も±６５°と広く、また、光度も順電流２０ｍＡのとき、青５０ｍｃｄ、緑１５０ｍｃｄ、赤３０ｍｃｄと、小サイズでありながら、実用上十分な明るさが得られている。
【０００４】
このような３in１チップタイプＬＥＤを用いて、カラーの平面型の発光装置、表示装置が開発されている。上記発光装置、表示装置の駆動方法としては、スタティック駆動方式とダイナミック駆動方式とが知られているが、小型化、軽量化、低コスト化の要望によりダイナミック駆動方式が多く用いられるようになってきた。
【０００５】
ダイナミック駆動方式は、複数（ｍ）の各走査線と、複数（ｎ）の各データ線とを互いに交差させてマトリクス状にそれぞれ設け、それらの交差点に各ＬＥＤをそれぞれ配し、その走査線とデータ線とが共にオンとなった交差点のＬＥＤが点灯する方式で、走査線、一行づつ走査して発光させたり、表示させたりするものである（ｎ、ｍは正の整数）。
【非特許文献１】編著：赤崎勇  「青色発光デバイスの魅力」  発行所：工業調査会  発行日：１９９７年５月１日
【発明の開示】
【発明が解決しようとする課題】
【０００６】
しかしながら、上記従来のようなダイナミック駆動方式では、ＬＥＤが点灯されている時間は、走査線、一行づつ発光させるため、長くても１／ｎまたは１／ｍになり、明るさを維持するためには、駆動電流はＤＣ駆動時のｎ倍またはｍ倍になる。ＬＥＤは駆動電流を大きくすると、図３に示すように、内部抵抗の影響により発熱による消費電力ロスが増大するので、ダイナミック駆動方式においては、消費電力が増大化するという課題を生じている。
【０００７】
本発明は、上記の課題に鑑みてなされたものであり、その目的は、駆動電流値を低減しながら、明るさを維持でき、さらに個々のＬＥＤの駆動電流を制御することにより全体を均一な色相、輝度に容易に合せ込める発光装置、表示装置を実現することにある。
【課題を解決するための手段】
【０００８】
本発明に係る発光装置は、上記課題を解決するために、マトリクス状に配列された複数の各発光部と、前記各発光部に対し、発光のための電源電流をそれぞれ供給するための電源線と、前記各発光部への電源電流の供給をそれぞれ制御するための制御部と、前記制御部への制御信号を断接により制御するための駆動制御部と、前記発光部への電源電流の供給を示す前記制御信号を保持するためのホールド部とを有していることを特徴としている。
【０００９】
上記構成によれば、駆動制御部による接続により、発光部への電源電流の供給を示す制御信号により制御部を制御する。このことで、電源線から各発光部への電源電流の供給を制御できるから、上記各発光部における発光、非発光を含めた発光状態を制御できる。
【００１０】
その上、上記構成は、各発光部をダイナミック駆動により駆動すべく、外部の駆動デ−タである電流値または電圧値の情報を示すパルス状の信号により制御部を駆動制御部によって制御することができる。このとき、パルス状の信号に基づく制御信号により各発光部への電源電流を供給している期間後に、発光部への電源電流の供給を示さないパルス信号の期間となっても、上記制御信号を保持するためのホールド部を備えているので、各発光部の発光状態を維持できる。
【００１１】
このように、外部の駆動デ−タで個々の発光部をスタティックに駆動できるため、外部の駆動デ−タを変えることで容易に色相、輝度を制御できると共に、各発光部の発光状態を維持できるから、内部抵抗ロスの少ない低電流で駆動できて消費電力も低減できる。なお、外部の駆動デ−タとして、メモリー素子等に予め蓄積したデ−タが用いられる。また、上記構成は、駆動制御部への信号をパルス状にできることから、駆動（ドライブ）に関する消費電力を低減できる。
【００１２】
これらの結果、上記構成は、駆動に関する消費電力も軽減できると共に、個々の発光部を制御することにより、多数の発光部を用いた平面発光において、より均一な色相（例えば、白色）、より均一な輝度を容易に得ることができる。
【００１３】
上記発光装置では、前記制御部は、第一トランジスタであり、前記第一トランジスタの第一制御端子への印加電圧値または印加電流値がしきい値を超えるか否かにより電源電流を断接するものであってもよい。
【００１４】
上記発光装置においては、上記各発光部の発光を制御するための、複数の各走査線と、複数の各データ線とを互いに交差させてマトリクス状にそれぞれ有し、前記駆動制御部は、各発光部にそれぞれ設けられた第二トランジスタであり、前記各走査線は、上記第二トランジスタの第二制御端子にそれぞれ接続され、前記各データ線は、前記第一トランジスタの第一制御端子への制御信号を供給できるように第二トランジスタに接続されていてもよい。
【００１５】
上記構成によれば、複数の各走査線と、複数の各データ線とを互いに交差させてマトリクス状にそれぞれ設けたことで、各発光部をダイナミック駆動できて、配線数を低減できるので、小型化できる。
【００１６】
上記発光装置では、前記複数の各発光部は、それぞれ発光ダイオードであってもよい。上記発光装置においては、前記制御部は、前記複数の各発光ダイオードのカソードに対し、直列に、それぞれ接続されていてもよい。
【００１７】
上記発光装置では、前記ホールド部は、容量素子であってもよい。上記発光装置においては、前記容量素子は、コンデンサーであってもよい。
【００１８】
上記発光装置においては、前記発光部の発光輝度を検出するための光検出部、例えばフォトダイオードが設けられていてもよい。上記構成によれば、各発光部が輝度劣化等により光出力が変化しても、上記光検出部によって各発光部の輝度の変化量を検出して、上記各発光部での輝度や色相を制御により容易に均一化できる。
【００１９】
本発明の表示装置は、前記の課題を解決するために、上記の何れかに記載の発光装置を有していることを特徴としている。上記構成によれば、上記の何れかに記載の発光装置を有することで、輝度や色相の均一化に優れ、低消費電力化できる。
【発明の効果】
【００２０】
本発明に係る発光装置は、以上のように、マトリクス状に配列された複数の各発光部と、前記各発光部に対し、発光のための電源電流をそれぞれ供給するための電源線と、前記各発光部への電源電流の供給をそれぞれ制御するための制御部と、前記制御部への制御信号の断接により、電源電流としての駆動電流または駆動電圧を制御するための駆動制御部と、前記発光部への電源電流の供給を示す前記制御信号を保持するためのホールド部とを有している構成である。
【００２１】
それゆえ、上記構成は、ホールド部を備えているので、外部からのパルス的な駆動情報で各発光部を所望の発光状態に維持できて、パルス信号のない期間（オフ期間）でも、各発光部の発光を維持して上記各発光部での明るさを保持できる。このことから、外部信号で個々の発光部を制御できるので、容易に色相や輝度を個々の発光部にて互いに合せることができて、より均一化できると共に、従来での消費電力ロスの発生を抑制できて、省電力化できるという効果を奏する。
【発明を実施するための最良の形態】
【００２２】
本発明の平面型の発光装置、およびそれを用いた表示装置の実施の各形態について図１および図２に基づいて説明すると以下の通りである。
【００２３】
（実施の第一形態）
本実施の形態の発光装置では、図示しない基板上に、図１に示すように、互いに略平行なｎ本の走査線１と、互いに略平行なｍ本のデータ線２とが、互いに交差させて、それらの交差点をｎ×ｍ個のマトリクス状となるように形成されている。上記のｎ、ｍは、それぞれ正の整数であり、互いに相違していても、同一であってもよい。また、下記の各ＬＥＤ３ａ、３ｂ、３ｃへの電源電流をそれぞれ供給するための各電源線ＶＤＤが各走査線１に沿うようにそれぞれ設けられている。
【００２４】
それらの交差点には、赤色のＬＥＤ３ａ、緑色のＬＥＤ３ｂ、および青色のＬＥＤ３ｃが、走査線１に沿ってそれぞれ順番に交互に並んで設けられている。各ＬＥＤ３ａ、３ｂ、３ｃのアノードは、それぞれ、対応する電源線ＶＤＤに接続されている。赤色のＬＥＤ３ａの素材としては、ＩｎＧａＡｌＰ系やＧａＡｌＡｓ系が挙げられ、緑色のＬＥＤ３ｂの素材としては、ＧａＰ系やＩｎＧａＡｌＰ系が挙げられ、青色のＬＥＤ３ｃの素材としては、ＳｉＣ系やＩｎＧａＡｌＰ系が挙げられる。
【００２５】
また、各ＬＥＤ３ａ、３ｂ、３ｃのカソードには、それぞれ、各ＬＥＤ３ａ、３ｂ、３ｃへの電源電流の供給を所望の状態（電流値）に変化させて制御するための制御部（駆動部）としての第一トランジスタ４が接続されている。第一トランジスタ４の他方は接地されている。第一トランジスタ４としては、通常は、バイポーラトランジスタや電界効果トランジスタ（ＦＥＴ）が挙げられる。
【００２６】
また、第一トランジスタ４を駆動（断接）制御するための駆動制御部としての第二トランジスタ５が設けられている。よって、第二トランジスタ５は、第一トランジスタ４の制御端子（第一制御端子、バイポーラであれば、ベース端子、ＦＥＴであればゲート端子）にデータ線２からの制御信号を入力できるようになっている。第二トランジスタ５としては、スイッチ機能を備えていれば、どのような素子でもよいが、通常は、バイポーラトランジスタや電界効果トランジスタ（ＦＥＴ）が挙げられる。第二トランジスタ５の制御端子（第二制御端子）は、対応する走査線１に接続されている。第二トランジスタ５の他の二端子は、第一トランジスタ４を、電源電流の供給をオン／オフ制御を含めて所望の状態（電流値）に変化させて制御できるように、一方が第一トランジスタ４の制御端子に、他方がデータ線２に接続されている。
【００２７】
これにより、走査線１が、第二トランジスタ５をオン状態にできる、例えばハイレベルとなると、データ線２からの第一トランジスタ４の駆動状態を決める電流値または電圧値である制御信号が第二トランジスタ５を介して第一トランジスタ４の制御端子に印加される。これにより、各ＬＥＤ３ａ、３ｂ、３ｃを所望の輝度（光出力）の発光状態に制御できる。また、オフパルスで発光量を制御する場合、各ＬＥＤ３ａ、３ｂ、３ｃを強制的に非発光状態にするには、走査線１が、第二トランジスタ５をオン状態にできる、例えばハイレベルとし、対応するデータ線２を接地してローレベルな制御信号とすることで第一トランジスタ４をオフ状態に設定すればよい。
【００２８】
そして、本実施の形態では、第一トランジスタ４の制御端子と接地との間に容量素子としてのコンデンサー６がホールド部として設けられている。このコンデンサー６を設けたことにより、走査線１からの信号がパルス状で、一度、第二トランジスタ５をオン状態にできる、例えばハイレベルから、直ちに、第二トランジスタ５をオフ状態にするローレベルになっても、上記ハイレベル時のデータ線２からの制御信号の電荷が、コンデンサー６にも充電されているので、上記コンデンサー６が放電により電荷が一定未満になるまで、上記第一トランジスタ４を、上記制御信号によるオン状態に維持できる。
【００２９】
この結果、上記オン状態のとき、上記第一トランジスタ４が接続されている各ＬＥＤ３ａ、３ｂ、３ｃへの電源線ＶＤＤからの電源電流の供給を制御しながら維持できるので、上記各ＬＥＤ３ａ、３ｂ、３ｃを発光状態に保持できる。
【００３０】
このように本実施の形態では、ｎ×ｍ個に配列された各ＬＥＤ３ａ、３ｂ、３ｃを有する平面型の発光装置における、個々のＬＥＤドライバーとしての第一トランジスタ４に対し、サンプルホールド回路として機能するコンデンサー６を付加することにより、走査線１へのドライブ条件（電圧または電流値）はパルス信号で入力されて、ＬＥＤを所望の条件で発光（点灯）させ、上記パルス信号がオフを示す状態となっても上記ＬＥＤを発光させることが可能となる。
【００３１】
このように本実施の形態に係る発光装置では、ｎ個×ｍ個に配列された各ＬＥＤ３ａ、３ｂ、３ｃをマトリクス状に配列して、多色の発光が可能で画像も表示できる平面型の発光装置を提供できる上に、各ＬＥＤ３ａ、３ｂ、３ｃをダイナミック駆動することで、配線数を低減できる。
【００３２】
その上、各ＬＥＤ３ａ、３ｂ、３ｃに対して電源電流を供給して駆動するドライバーとしての第一トランジスタ４にサンプルホールド機能を有するコンデンサー６を付加することにより、信号の入力がない（オフ状態を示す）時でも前の状態を維持できるから、駆動状態を決める信号はダイナミックに入力されても、ＬＥＤはほぼ常時点灯状態にできるので、ドライブに関る消費を減らすことができ、かつ、個々の各ＬＥＤ３ａ、３ｂ、３ｃを制御できるから、輝度や色相を均一化することが可能となる。
【００３３】
また、上記発光装置においては、走査線１へのドライブ（駆動）信号が入力されていない時にもドライブ信号が入力された状態を見掛け上、維持できることを用い、オンまたはオフの比率で個々のＬＥＤを駆動することで、発光量を制御することができる。このとき、走査線１への入力信号がオン／オフ信号の場合は、個々の各ＬＥＤ３ａ、３ｂ、３ｃが均一に点灯できるオン数またはオフ数を個々の各ＬＥＤ３ａ、３ｂ、３ｃに与えるように設定すればよい。
【００３４】
（実施の第二形態）
本実施の第二形態では、上記実施の第一形態に加えて、互いに隣り合う各ＬＥＤ３ａ、３ｂ、３ｃの一組毎に、上記各ＬＥＤ３ａ、３ｂ、３ｃの少なくとも一つの輝度量を測定するフォトダイオード（光検出部）８が設けられている。上記フォトダイオード８は、そのカソードが対応する走査線１に接続され、フォトダイオード８のアノードが、データ線２に沿って設けられている光検出線７に接続されている。よって、走査線１がハイレベルになっていて、かつ、その走査線１が接続されている各ＬＥＤ３ａ、３ｂ、３ｃの少なくとも何れかが発光しているとき、その発光した各ＬＥＤ３ａ、３ｂ、３ｃの発光輝度を検出できる。
【００３５】
これにより、本実施の第二形態においては、ＬＥＤが輝度劣化等で光出力が変化した場合に、フォトダイオ−ド８を取り付けたことにより、Ｒ、Ｇ、Ｂの各ＬＥＤ３ａ、３ｂ、３ｃを個別に発光（点灯）させ、フォトダイオ−ド８で発光出力を検出することで、ＬＥＤの以前の出力と比較でき、輝度の変化量が検出できる。このように輝度の変化量を検出することで、個々の各ＬＥＤ３ａ、３ｂ、３ｃを制御して、平面型の発光装置の全体としての輝度や色相を均一化することが、より容易に可能となる。
【００３６】
（実施の第三形態）
本発明の実施の第三形態としての、本発明に係る発光装置を用いた表示装置について図２に基づき説明する。図２に示すように、アクティブマトリックス方式の表示装置１１０は、ＬＥＤ表示部１１０ａと、それを駆動する駆動回路１１０ｂとを備えている。
【００３７】
上記ＬＥＤ表示部１１０ａは、各ＬＥＤ３ａ、３ｂ、３ｃが各画素（ピクセル）としてマトリックス（格子）状に、例えば1024×768ドットにて配列されたものであり、画像データに基づき、水平走査線（ライン）毎に順次または間欠的に順次垂直方向に表示することで画像を表示できるようになっている。上記ドット数の場合、水平走査線の数は計７６８本となり、一水平走査線は１０２４ドットとなる。上記各画素の数としては、必要に応じて、1280×1024ドット、1600×1200ドット、3200×2400ドットなどが用いられる。
【００３８】
一方、上記駆動回路１１０ｂには、ＩＣ（集積回路）からなるソースドライバ１０３およびゲートドライバ１０４と、コントローラ（制御回路、駆動回路）１０５と、ＬＥＤ駆動電源１０６とが搭載されている。
【００３９】
上記構成において、外部から入力された表示のための画像データは、上記コントローラ１０５を介してデジタル信号である表示データＤとしてソースドライバ１０３に入力される。ソースドライバ１０３は、入力された表示データＤを、時分割して、第１ソースドライバ〜第ｎソースドライバに対しそれぞれラッチし、その後、コントローラ１０５から入力される上記水平同期信号に同期してＤ／Ａ変換する。
【００４０】
このように時分割された表示データＤをＤ／Ａ変換して、階調表示用のアナログ電圧（以下、「階調表示電圧」と言う）であるアナログ表示データ信号が作成される。上記アナログ表示データ信号は、図示しないデータ線２を介して、ＬＥＤパネル１０１内における対応する上記各ＬＥＤ３ａ、３ｂ、３ｃにそれぞれ出力されている。
【００４１】
さらに、上記コントローラ１０５から、各ソースドライバ１０３へは、画像データ信号Ｒ、Ｇ、Ｂや、水平同期信号（スタートパルス信号ＳＰやラッチ信号Ｌｓに相当）、クロック信号ｃｌｋが、また、ゲートドライバ１０４へは垂直同期信号や水平同期信号が出力されている。また、コントローラ１０５は、Ｉ／Ｏ回路、画像データを格納するための表示ＲＡＭ、上記各種の制御信号のための生成回路や出力回路等も備えている。
【００４２】
このような表示装置では、例えば一水平同期信号の期間の間、第一トランジスタ４をオン状態に維持できるように、コンデンサー６の容量を設定すればよい。また、各データ線２への電流値または電圧値を制御することで、各データ線２からの電流値または電圧値が制御信号として印加される第一トランジスタ４を制御して各ＬＥＤに流れる電流量を制御できるから、階調表現も可能となり多色でのカラー表示が可能となる。
【００４３】
なお、上記実施の各形態では、発光部として、ＬＥＤを用いた例を挙げたが、上記発光部としては、電圧または電流の印加により自発光するものであれば本発明を適用でき、例えばエレクトロルミネッセンス発光素子なども挙げられる。
【００４４】
また、上記実施の各形態においては、ホールド部としてコンデンサーを用いた例を挙げたが、容量性を有していれば、他の形態のものも使用でき、例えば液晶セルを容量性素子として用いることも可能である。このとき、上記液晶セルを各ＬＥＤの光学的シャッターとしての機能させることもできる。
【００４５】
ところで、マトリクス表示装置において、接続を低減した例として、特開平４−３２２２９６号公報に記載の発明が挙げられる。上記公報では、光放射手段と、光感知手段とを用いて接続を低減しているが、表示を保持する機能については何ら開示も示唆もされていない。
【００４６】
また、特表２００４−５３６３３７号公報には、ビデオ信号による画面が変化しないときに、その画面を記憶して、ビデオ信号によるアドレッシングを停止するために、表示素子駆動回路５８を、ビデオ信号が記憶される場合データ記憶ノードであるノード５９と、表示素子１８との間に導入する。示すように、データ記憶キャパシタ７２をこのノードと関係付ける。この形式の画素アーキテクチャは、液晶ディスプレイに用いることができるが、前記表示素子を、前記ビデオ情報を表す電荷を格納するのに使用することができない状況において、最も適切である。このようなディスプレイの一例は、発光ダイオードを使用するものであり、例えば、アクティブマトリックスポリマＬＥＤ又は有機ＬＥＤ（ＯＬＥＤ）表示装置である。この画素に関する代わりの配置において、前記リフレッシュ回路網の一時記憶回路への入力を、表示素子駆動回路５８の出力からとることができる。これは、データ記憶ノード５９からとった信号をバッファリングすることの利点を有する（図５、段落番号００３７）。
【００４７】
しかしながら、上記公報では、本発明のように、走査線１からの駆動信号がローレベルになっても、各ＬＥＤ（発光部）３ａ、３ｂ、３ｃへの電源電流を保持することについて何ら開示も示唆もされていない。
【産業上の利用可能性】
【００４８】
本発明の発光装置、表示装置は、消費電力を軽減しながら発光したり、表示したりできるから、屋内でのカラーディスプレイや、屋外での、広告、広報、競技場用ディスプレイ、交通、運輸機器用ディスプレイ、エンタテイメント機器への応用といった種々の発光を用いる分野に好適に利用できる。また、本発明は、色相や輝度の均一性が要求される平面型の発光装置として、液晶のバックライト等にも使用できる。
【図面の簡単な説明】
【００４９】
【図１】本発明の発光装置の要部回路ブロック図である。
【図２】本発明の表示装置のブロック図である。
【図３】発光ダイオードの順電圧と順電流との関係を示すグラフである。
【符号の説明】
【００５０】
１    走査線
２    データ線
３    ＬＥＤ（発光部）
３ａ  赤色のＬＥＤ
３ｂ  緑色のＬＥＤ
３ｃ  青色のＬＥＤ
４    第一トランジスタ（制御部）
５    第二トランジスタ（駆動制御部）
６    コンデンサー（ホールド部）
７    光検出線
８    フォトダイオード（光検出部）
【図１】
2006301450.tif 000003
【図２】
2006301450.tif 000004
【図３】
2006301450.tif 000005